(57)【要約】      （修正有）【課題】巻上機を軸方向に沿って一隅部まで寄せ、位置出しを可能とする巻上機据付装置を提供する。【解決手段】エレベータの昇降路と、この昇降路の頂部に据付けられ、水平に延びる回転軸線のまわりを回転するトラクションシーブおよびこのトラクションシーブを回転させるモータを有する巻上機と、この巻上機を支持し４個の車輪を下部に有するマシン支持梁２４と、それぞれ昇降路に設けられた複数の梁１６、１８、１９と、これらの梁１６、１８、１９の上に固定され、巻上機をマシン支持梁２４とともに回転軸線に沿って昇降路の一隅部に向かって案内する案内手段２６、２７を有する案内機能付き支持梁とを備える。【選択図】図１
2010189081.tif 000002
【特許請求の範囲】
【請求項１】
エレベータの昇降路と、
この昇降路の頂部に据付けられ、水平に延びる回転軸線のまわりを回転するトラクションシーブおよびこのトラクションシーブを回転させるモータを有する巻上機と、
この巻上機を支持し、複数個の車輪を下部に有するマシン支持梁と、
それぞれ前記昇降路に設けられた複数の梁と、
これらの梁の上に固定され、前記巻上機を前記マシン支持梁とともに前記回転軸線に沿って前記昇降路の一隅部に向かって案内する案内手段を有する案内機能付き支持梁と、を備えたことを特徴とする巻上機据付装置。
【請求項２】
前記案内機能付き支持梁は、それぞれ前記マシン支持梁の前記複数個の車輪を固定するための複数の穴を設けたことを特徴とする請求項１記載の巻上機据付装置。
【請求項３】
前記案内機能付き支持梁は、複数の前輪用の穴および複数の後輪用の穴を有し、これらの穴のうち、前記複数の後輪用の穴には、これらの穴のいずれかを塞ぐ部材が被せられることを特徴とする請求項２記載の巻上機据付装置。
【請求項４】
前記案内機能付き支持梁は、複数の前輪用の穴から前記巻上機が案内される方向のこの案内機能付き支持梁の中心線までの各距離と、複数の後輪用の穴から前記中心線までの各距離とは互いに異なるように各前輪用の穴および各後輪用の穴が配置され、
前記マシン支持梁の下部に設けられる複数個の前輪の各位置と、複数個の後輪の各位置とは、各前輪用の穴の位置および各後輪用の穴の位置に合うように設けられたことを特徴とする請求項２記載の巻上機据付装置。
【請求項５】
前記案内機能付き支持梁の底材には、前記巻上機が案内される方向に沿って複数の穴が形成されており、
各穴の穴底は、先端を下方へと折返された穴底片を有し、この穴底片は、前記案内方向に沿って下方へ傾斜したスロープ部と、このスロープ部と連続し前記案内方向に沿って平坦にされた平坦部とを有することを特徴とする請求項２又は請求項４記載の巻上機据付装置。
【請求項６】
前記案内機能付き支持梁の底材には、前記巻上機が案内される方向に沿って複数の穴が形成されており、
各穴の穴底は、ボルト穴を形成され、ジャッキボルトの回転による前進によって、前記巻上機の各車輪が各穴から押出されることを特徴とする請求項２〜４のいずれかに記載の巻上機据付装置。
【請求項７】
前記昇降路を前記トラクションシーブに巻き掛けられるロープによって昇降するかごと、
前記かごの上に設けられた基台と、
この基台上に設けられ自身の高さを調節可能な支柱部と、
この支柱部の上端に設けられた支持部材とを備え、
前記支柱部材が高さを調節することにより、前記マシン支持梁の前記昇降路内での高さが調整されることを特徴とする請求項１〜６のいずれかに記載の巻上機据付装置。
【請求項８】
前記巻上機の前記モータは、前記案内機能付き支持梁が案内される方向に長い軸を有する長軸モータであることを特徴とする請求項１記載の巻上機据付装置
【発明の詳細な説明】
【技術分野】
【０００１】
本発明は巻上機据付装置に関する。
【背景技術】
【０００２】
マシンルームレスエレベータでは巻上機を昇降路の最上部に据付ける作業が困難である。揚重吊元となる滑車を取付けてこの滑車にロープを通して巻上機を揚重する場合、この滑車は巻上機を設置すべき位置の直上の昇降路の天井部に取付けられる。滑車に掛けられたロープの一端は巻上機の上部に締結され、他端はチェーンブロックの上フックに掛けられる。チェーンブロックの下フックは、昇降路内に設けられる固定部に掛けられる。巻上機は、チェーンブロックを操作することによって、巻上機設置位置まで揚重されて、支持梁上に載置され固定される。
【０００３】
ところが、巻上機を支持梁上に載せたときのこの巻上機の上面と、昇降路天井との間の隙間が極端に近い場合、滑車を天井部に取付けることができない。
【０００４】
そこで、巻上機を揚重するための特殊な揚重装置を使わないで据付工事を可能としたマシンルームレスエレベータの巻上機据付装置が提案されている（特許文献１参照）。特許文献１に記載の装置は、かごの上部に着脱自在に支持され巻上機を載置する巻上機の支持体と、この支持体をかごの上部に支持するための支持手段と、支持体に転動自在に設けられた転動体とを備え、巻上機を転動体の上に乗せて巻上機据付部へと移動させる。
【０００５】
また、エレベータの昇降路の天井下に設けられる巻上機と天井との距離が近い場合でも、巻上機据付台まで巻上機を揚重できる巻上機取付装置も提案されている（特許文献２参照）。巻上機揚重治具は、巻上機の底面に固定される。巻上機揚重治具の一端に設けられる回動シャフトは、ブラケットに設けられる回動受部に枢支される。ウインチは、第１吊部にフックを掛けて巻上機揚重治具を揚重し、第２吊部にフックを掛けて回動軸を中心に巻上機揚重治具を回動させる。
【０００６】
近年、駆動装置としての巻上機は小型化を求められるようになってきている。巻上機は偏平モータと長軸モータとのいずれも利用することが可能である。扁平モータと長軸モータとが同じ大きさの駆動力を生成する場合にこれらの扁平モータの筐体サイズと長軸モータの筐体サイズとを比較すると、扁平モータは、この扁平モータの筐体の高さを長軸モータ筐体の高さよりも大きくしないと、長軸モータの駆動能力と同じ大きさの駆動能力を発揮することができない。長軸モータは、この長軸モータの軸方向の長さを、扁平モータの軸方向の長さよりも長くしなければ、扁平モータの駆動能力と同じ大きさの駆動能力を発揮することができない。同じ大きさの駆動力を生成する場合、長軸モータの高さは扁平モータの高さよりもコンパクトで済む。従って、低い天井を有する昇降路にエレベータを設置する場合、長軸モータが用いられる。
【先行技術文献】
【特許文献】
【０００７】
【特許文献１】特開２００７−２１０７０３号公報（図１）
【特許文献２】特開２００６−６２７６８号公報（図６乃至図９）
【発明の概要】
【発明が解決しようとする課題】
【０００８】
しかしながら、上述した従来技術では、エレベータのレイアウトがトラクションシーブを昇降路の４隅のうちのいずれかに配置するものである場合、長軸モータを有する巻上機を昇降路の頂部まで吊上げた後、巻上機を吊上げられた位置から一隅部へ寄せることは困難である。軸方向に長い長軸モータを有する巻上機を、長軸方向に沿って一隅部まで支持梁上で動かすことは、巻上機の重量が極めて大きいため容易には行えない。巻上機の正確な位置出しを行うことができない。
【０００９】
そこで、本発明は、上記の課題に鑑み、巻上機を、軸方向に沿って一隅部まで寄せることができ、トラクションシーブの位置出しを可能とした巻上機据付装置を提供することを目的とする。
【課題を解決するための手段】
【００１０】
このような課題を解決するため、本発明の一態様によれば、エレベータの昇降路と、この昇降路の頂部に据付けられ、水平に延びる回転軸線のまわりを回転するトラクションシーブおよびこのトラクションシーブを回転させるモータを有する巻上機と、この巻上機を支持し、複数個の車輪を下部に有するマシン支持梁と、それぞれ前記昇降路に設けられた複数の梁と、これらの梁の上に固定され、前記巻上機を前記マシン支持梁とともに前記回転軸線に沿って前記昇降路の一隅部に向かって案内する案内手段を有する案内機能付き支持梁と、を備えたことを特徴とする巻上機据付装置が提供される。
【発明の効果】
【００１１】
本発明によれば、巻上機を、回転軸方向に沿って昇降路の一隅部まで寄せることが可能となり、トラクションシーブの位置出しを行えるようになる。
【図面の簡単な説明】
【００１２】
【図１】本発明の第１の実施形態に係る巻上機据付装置を含む梁構造を左前方より見た斜視図である。
【図２】図１の梁構造に巻上機及びかごが配置された状態のエレベータの横断面図である。
【図３】（ａ）は本発明の第１の実施形態に係る巻上機据付装置の側面図であり、（ｂ）は巻上機と案内機能付き支持梁とを巻上機の移動方向前方から見た正面図である。
【図４】本発明の第１実施形態の第１の変形例に係る巻上機据付装置を含む梁構造を左前方より見た斜視図である。
【図５】本発明の第２の実施形態に係る巻上機据付装置を含む梁構造を左前方より見た部分斜視図である。
【図６】本発明の第２の実施形態の第１の変形例に係る巻上機据付装置に用いられる案内機能付き支持梁の平面図である。
【図７】本発明の第２の実施形態の第２の変形例に係る巻上機据付装置に用いられる案内機能付き支持梁の平面図である。
【図８】本発明の第２の実施形態の第３の変形例に係る巻上機据付装置に用いられる案内機能付き支持梁を示す図である。
【図９】本発明の第２実施形態の第４の変形例に係る巻上機据付装置に用いられる案内機能付き支持梁の側面図である。
【図１０】本発明の第３の実施形態に係る巻上機据付装置の構成図である。
【発明を実施するための形態】
【００１３】
以下、本発明の実施の形態に係るエレベータについて、図１乃至図１０を参照しながら説明する。尚、各図において同一箇所については同一の符号を付すとともに、重複した説明は省略する。以下の説明においては、鉛直方向を上下方向と呼び、エレベータのホールドア、かごドアが開閉する方向を左右方向と呼び、乗客がかごに出入りする方向を前後方向と呼ぶことがある。
【００１４】
（第１の実施形態）
本発明の第１の実施形態に係る巻上機据付装置は、巻上機の下部に取付けられた車輪と、昇降路内の複数本のガイドレールの上部に設けられこの巻上機の移動を案内する機能を有する支持梁とを有し、車輪付きの巻上機本体をかご上に載せて上昇させた後、人がこの車輪付き巻上機を、巻上機案内機能付き支持梁の上を押して移動させてこの支持梁に据付けるためのガイド機構である。
【００１５】
図１は本実施形態に係る巻上機据付装置を含む梁構造を左前方より見た斜視図である。図２は図１の梁構造に巻上機及びかごが配置された状態のエレベータの横断面図である。昇降路１内には左右一対のかごガイドレール２、３が立設されている。かご４の下部には左右一対のかご下シーブ５、６が図示しないシーブ支持部材により支持されている。かご４の両側面にはそれぞれ図示しないガイドシューが設けられており、各ガイドシューがかごガイドレール２、３に摺動することにより、かご４はかごガイドレール２、３に案内されて昇降する。それぞれかご下シーブ５に巻き掛けられた複数本の図示しないロープは、ソラセシーブ７、８を巻回された後、上方へと導かれ、軸出しされるトラクションシーブ９に巻回される。
【００１６】
かご４の昇降スペースを挟むようにかごガイドレール２、３に対向して、左右一対のカウンタウェイトガイドレール１０、１１が昇降路１内に立設されている。かご４の背面側にはつり合いおもり１２が配置される。つり合いおもり１２の上部にはおもりシーブ１３、１４が設けられる。つり合いおもり１２は、カウンタウェイトガイドレール１０、１１に案内されて昇降路１内を昇降する。昇降路１を鉛直方向上方から見たときに昇降路１の後内壁面１５と、かご４の背面との間に形成される隙間をつり合いおもり１２は昇降する。
【００１７】
カウンタウェイトガイドレール１０の上端部と、かごガイドレール２の上端部との間には第１の支持梁１６が水平に設けられる。第１の支持梁１６の長手方向は前後方向である。この第１の支持梁１６は、昇降路１の左側内壁面１７の近傍に配置され、昇降路１の頂部の下側に位置する。第１の支持梁１６には断面形状がコの字状である鋼材が用いられる。
【００１８】
カウンタウェイトガイドレール１０の上端部と、カウンタウェイトガイドレール１１の上端部との間には第２の支持梁１８が水平に設けられている。第２の支持梁１８の長手方向は左右方向である。この第２の支持梁１８は、昇降路１の後内壁面１５の近傍に配置され、昇降路１の頂部の下側に位置する。第２の支持梁１８には断面形状が四角形又は逆凹字状である鋼材が用いられる。
【００１９】
また、かごガイドレール２の上端部と、カウンタウェイトガイドレール１１の上端部との間には第３の支持梁１９が水平に設けられている。この第３の支持梁１９の長手方向は、第１の支持梁１６の長手方向と、第２の支持梁１８の長手方向との双方に斜行する。第３の支持梁１９のかごドア側の一端部は、第１の支持梁１６のかごドア側の一端部と平板２０を介してボルトにより締結される。溶接により各端部を接続してもよい。平板２０とともに防振材２１もボルト締めされている。第３の支持梁１９の後内壁面１５側の他端部は、第２の支持梁１８の右側内壁面２２側の一端部と平板２０を介してボルトなどにより締結されている。平板２０とともに防振材２１もボルト締めされる。
【００２０】
図１に示すように、これらの第１の支持梁１６、第２の支持梁１８、第３の支持梁１９及び平板２０がボルトナットによって相互に接続されて一体化された構造が、巻上機２９（図３）を支持するための架台２３として機能している。
【００２１】
この架台２３の上に巻上機２９の案内機能付き支持梁２４（マシン支持梁）が水平に設けられている。案内機能付き支持梁２４は、水平面状の底面部２５と、この底面部２５の両縁部からそれぞれ上方向に起立する立壁部２６、２７とからなる。これらの立壁部２６、２７はともに巻上機２９の移動を案内する案内手段である。巻上機２９の下部に取付けられた複数個の車輪あるいは滑車が底面部２５の上を回転し、巻上機２９は架台２３に沿って移動可能にされている。案内機能付き支持梁２４のシーブ軸方向の２つの端部のうち、昇降路１の一隅部側の端部は、第１の支持梁１６及び第２の支持梁１８の各他端部と、平板２０を介してボルトなどにより締結されている。案内機能付き支持梁２４のかご走行路側の他の端部は、第３の支持梁１９の長手方向中央部の上に２つの固定部材２８を介して固定されている。この案内機能付き支持梁２４に巻上機２９が戴置されるようになっている。
【００２２】
図３（ａ）は本実施形態に係る巻上機据付装置の側面図である。図３（ｂ）は巻上機２９と案内機能付き支持梁２４とを巻上機２９の移動方向前方から見た正面図である。本実施形態に係る巻上機据付装置３０は、巻上機２９の下部に設けられた２個の前輪３１（１個だけが図示されている）と、巻上機２９の下部に設けられた２個の後輪３２（１個だけが図示されている）と、案内機能付き支持梁２４とを備える。巻上機２９は、２個の前輪３１及び２個の後輪３２と、これらの前輪３１、後輪３２を支承するマシンベッド３３と、このマシンベッド３３の上に支持具３４を介して固定されたモータ３５と、このモータ３５と同軸になるようにモータシャフトに連結されたトラクションシーブ９とを有する。
【００２３】
２個の前輪３１と、２個の後輪３２とが回転時、マシンベッド３３の左側面及び右側面が案内機能付き支持梁２４の立壁部２６、２７によってガイドされる。モータ３５は小径かつ長軸のモータである。巻上機２９は、この長軸のモータ３５の軸線方向に沿って移動するようになっている。２個の前輪３１及び２個の後輪３２のマシンベッド３３下面への取付位置は、モータ３５が動作中に振動が生じないように選ばれた位置である。この取付位置は予め実験やシミュレーションなどにより求められる。
【００２４】
立壁部２６、２７間の寸法は、巻上機２９の２本の車軸の長さあるいはマシンベッド３３を正面から見たときのマシンベッド幅に合わせられている。人が巻上機２９を進めて前輪３１及び後輪３２を停止させたときに、トラクションシーブ９の外径部が昇降路１の隅部で両内壁面に挟まれる空隙に位置するようにされる。ソラセシーブ７、８からのロープによってローピングが適切に行える位置に、このトラクションシーブ９が位置決めされるように予め人が押込む。立壁部２６、２７の位置についても、この案内機能付き支持梁２４が支持梁１６及び支持梁１８に固定される際に、トラクションシーブ９が正確な位置に位置出しが出来るように予め設置される。
【００２５】
人が巻上機２９を昇降路１の隅部に向かって押すと、トラクションシーブ９を有する巻上機２９は隅部へ向かって所定距離変位する。図２で鉛直方向上から見たときに、トラクションシーブ９が、第１の支持梁１６の端部の領域と、第２の支持梁１８の端部の領域と重なる。また、かご下シーブ５、６はいずれも前後方向に水平に延びる回転軸線のまわりを回転自在である。おもりシーブ１３、１４もそれぞれ前後方向に水平に延びる回転軸線のまわりを回転自在である。トラクションシーブ９の回転軸線と、かご下シーブ５、６の各回転軸線及びおもりシーブ１３、１４の各回転軸線とは鉛直方向上から見たときに９０度よりも小さい角度をもって交差する。
【００２６】
このような構成の本実施形態に係る巻上機据付装置３０を昇降路１内に設置するに当たり、３本の第１の支持梁１６、第２の支持梁１８及び第３の支持梁１９は相互に接続され架台２３が組立てられた状態にある。
【００２７】
かご４を昇降路１の頂部付近に停止させる。作業員はかご４の上を作業の足場とする。巻上機２９を作業員は、かご４上に載せてかご４を上昇させることにより、昇降路１の頂部付近にまで巻上機２９を上げる。作業員は架台２３の高さ近辺にまでこの巻上機２９を上げる。
【００２８】
かご４の上で作業員が、巻上機２９を昇降路１の左奥の隅部へ押す。巻上機２９の下部に取付けられた前輪３１、後輪３２は、案内機能付き支持梁２４の上を移動し、巻上機２９はガイドされる。所定距離を移動した後、作業員は巻上機２９を止める。これによって、巻上機２９の軸出しが可能になる。この後、ロープが巻き回される等の調整が行われる。
【００２９】
このように、本実施形態に係る巻上機据付装置３０によれば、この巻上機据付装置３０を架台２３に備え付けただけで軸出しをできるようになる。
【００３０】
また、モータ３５として長軸モータを選択することにより、長軸モータの本体高さは扁平モータの本体高さよりも低いため、昇降路の高さを有利に使える。
【００３１】
（第１の実施形態の変形例）
上記第１の実施形態では、巻上機２９の動きは短軸方向に規制されるが、巻上機２９をその短軸方向に動かすようにもできる。
【００３２】
図４は本発明の第１実施形態の変形例に係る巻上機据付装置を含む梁構造を左前方より見た斜視図である。同図に示す符号のうち上述した符号と同じ符号を有する要素はそれらと同じものを表す。案内機能付き支持梁３６は、第３の支持梁１９の上に設けられている。案内機能付き支持梁３６は、底面部３７、底面部３７の両縁部からそれぞれ起立する立壁部３８ａ、３８ｂからなる。巻上機２９の４個の車輪が底面部３７上を回転し、巻上機２９は短軸方向に進めることができるようになっている。
【００３３】
本変形例に係る巻上機据付装置は、図示しない２個の前輪３１及び２個の後輪３２と、案内機能付き支持梁３６とを備える。この巻上機据付装置は、案内機能付き支持梁３６と案内機能付き支持梁２４とが接続されて構成されてもよい。
【００３４】
このような構成により、第１の実施形態の例と同様にして、本変形例に係る巻上機据付装置は短軸方向へも位置決めを行うことができる。この変形例に係る巻上機据付装置によれば、昇降路１の上部領域のレイアウトにかかわらず、巻上機２９の据付を確実に行えるようになる。
【００３５】
（第２の実施形態）
本発明の第２の実施形態に係る巻上機据付装置は、案内機能付き支持梁２４の底面部に穴を設ける。各穴は底面に陥設された位置決め用の凹穴である。各穴に車輪を嵌め落とすことにより、巻上機２９を仮固定することが可能にされている。
【００３６】
図５は本実施形態に係る巻上機据付装置を含む梁構造を左前方より見た部分斜視図である。案内機能付き支持梁３９は底面部４０と、底面部４０の両縁から起立する立壁部４１、４２とを有する。底面部４０には４つの穴４３が設けられている。これらの穴４３の位置は、４個の車輪のマシンベッド３３の下面への取付位置と同じである。
【００３７】
本実施形態に係る巻上機据付装置は、図示しない２個の前輪３１及び２個の後輪３２と、案内機能付き支持梁３９とを備える。
【００３８】
このような構成の本実施形態に係る巻上機据付装置では、穴４３を目印として作業員が手押しによって、昇降路１の隅部に向かって巻上機２９を移動させる。巻上機２９の４個の車輪が移動する前方に穴４３が設けられており、各穴４３に向かって人が巻上機２９を押すため、決められた位置の凹穴で車輪が嵌り、決められた位置に巻上機２９は据付けられる。据付けられた巻上機２９はそれ以上動かない。穴４３の位置を超えて巻上機２９が行き過ぎることが生じない。
【００３９】
案内機能付き支持梁３９自身が位置決め機能を有するといえる。作業員が微妙な位置合わせのために注意を払わずに作業を行うことができる。巻上機を押すだけで巻上機がそのまま決められた位置に収めることができる。
【００４０】
また、巻上機２９がスライドすると、４個の車輪が各穴４３に嵌り落ちて、車輪は空間で浮いている状態にされる。マシンベッド３３の下面が直接巻上機２９の荷重を受ける。巻上機２９の位置が決まった状態で、各穴４３に落ちた各前輪３１、各後輪３２をそれぞれボルトなどにより締結する。
【００４１】
各車輪を落とさない場合、４つの車輪に荷重がかかってしまい、４点に大きな荷重が集中し、特に前輪には相当な大きさの負荷がかかるが、各車輪を落とすことによって、大きな荷重はいずれの車輪にかからず、マシンベッド３３にかかる。また、ボルト締結することによって、巻上機２９はがたつきがなくなる。
【００４２】
巻上機２９自体の重量は極めて大きいため、人が巻上機２９を押す操作は位置決めが難しいが、本実施形態に係る巻上機据付装置によれば、巻上機２９が嵌り落ちた後、ボルト締結することで、最初の位置決めを簡易に行えるようになる。
【００４３】
また、各穴４３は底面部４０の一部をへこませた凹穴の代わりに貫通穴であってもよい。貫通穴と、この貫通穴の開口形状と同じ形状の周縁部を有する開口端面付きのケース状部材とによっても上記の例と同様の機能を発揮させることができる。板材の裏面から貫通穴の回りに、ケース状部材の上縁を溶接などにより取付けるのである。これによっても、凹所に車輪を落ち込ませる方法と同じように、車輪を落ち込ませることができる。
【００４４】
また、案内機能付き支持梁の走行面だけに傾斜を与えておいてもよい。これによって、作業員の作業負荷は更に軽減される。
【００４５】
（第２の実施形態の第１の変形例）
図６は本発明の第２の実施形態の第１の変形例に係る巻上機据付装置に用いられる案内機能付き支持梁の平面図である。同図に示す符号のうち上述した符号と同じ符号を有する要素はそれらと同じものを表す。案内機能付き支持梁３９は、いずれも凹設された４つの穴４３を有する。４つの穴４３のうち、後輪３２用の２つの穴４３の上には、これらの２つの穴４３を塞ぐためのプレート４４が底面部４０上に設けられている。案内機能付き支持梁３９の立壁部４２の付け根部分には、プレート４４の厚さよりもやや大きい高さを有する開口４５が形成されている。
【００４６】
これにより、まずプレート４４を案内機能付き支持梁３９の上に人が載せておき、人が巻上機２９を押す際、後輪用の穴４３の上に被せられたプレート４４の上を前輪３１が通過する。前輪３１がプレート４４の位置を通過した後、人がこのプレート４４を抜く。この状態で巻上機２９を動かして、後輪を穴４３に嵌め落とす。従って、作業を安全に行えるとともに正確な位置出しを行える。
【００４７】
また、凹穴である穴４３の代わりに、貫通穴と、板材の裏面からこの貫通穴の回りに取付けられたケース状部材とによっても同様である。
【００４８】
（第２の実施形態の第２の変形例）
図７は本発明の第２の実施形態の第２の変形例に係る巻上機据付装置に用いられる案内機能付き支持梁の平面図である。同図に示す符号のうち上述した符号と同じ符号を有する要素はそれらと同じものを表す。案内機能付き支持梁４６は、４つの穴４３のうち、前輪３１用の２つの穴４３の間の距離と、後輪３２用の２つの穴４３の間の距離とが異なる。
【００４９】
本変形例に係る巻上機据付装置は、図示しない２個の前輪３１及び２個の後輪３２と、案内機能付き支持梁４６とを備える。この変形例に係る巻上機据付装置のマシンベッド３３の下部に取付けられる２個の前輪３１の位置と、２個の後輪３２の位置とは、巻上機２９の移動方向で互いにずれた状態で設けられている。
【００５０】
このような構成のこの変形例に係る巻上機据付装置では、各穴４３の配置が移動方向でずらされていることにより、巻上機２９を動かす際、図６のプレート４４を設けずに、人が巻上機２９を動かして、前輪３１及び後輪３２を穴４３に嵌め落とすことができる。
【００５１】
また、凹穴である穴４３の代わりに、貫通穴と、板材の裏面からこの貫通穴の回りに取付けられたケース状部材とによっても同様である。
【００５２】
（第２の実施形態の第３の変形例）
巻上機２９を穴４３に嵌め落とす場合、巻上機２９には衝撃が加わる。また、２つの前輪３１だけが嵌め落ちると、巻上機２９が前方に傾いて巻上機２９を動かす作業が困難になることもある。本発明の第２の実施形態の第３の変形例に係る巻上機据付装置では、４つの穴４３の穴底の底面の高さが車輪の進行方向の手前から進行方向の先に向かって落ち込むように各穴底が傾斜して形成されており、各穴底面が車輪の傾斜ガイド面として機能するようになっている。
【００５３】
図８（ａ）は本発明の第２の実施形態の第３の変形例に係る巻上機据付装置に用いられる案内機能付き支持梁の側面図である。同図において巻上機２９の移動する方向は左側から右側の向きである。案内機能付き支持梁４７は、板材からなる底面部４８と、底面部４８の両縁から起立した２つの立壁部４９（図中では一方のみ示されている）とを有する。底面部４８には、底面上の両縁に平行に位置決め用の２個の穴５０及び２個の５１が形成されている。穴５０の穴底５２は、板材にコの字状の切込みを入れて切残しを有する穴底片を形成した後、この穴底片の先端を下方へと折返す加工をすることにより得られる。穴底５２は、巻上機２９の移動方向に沿って下方へ傾斜したスロープ部５３と、このスロープ部５３と連続し巻上機２９の移動方向に沿って平坦にされた平坦部５４とを有する。
【００５４】
また、図８（ｂ）は車輪止めの第１の例を説明するための図である。図８（ｂ）に示すように、平坦部５４の先端に、車輪止め５５をこの平坦部５４から起立させた状態で形成しておき、後輪３２がこの車輪止め５５に当接することによって、後輪３２の停止位置が決められるようになっている。
【００５５】
図８（ｃ）は車輪止めの第２の例を説明するための図である。図８（ｃ）に示すように、板材（底面部４８）の下面に車輪止め５６を取付けておき、後輪３２の脚部５７がこの車輪止め５６に当接することによって、後輪３２の停止位置を決めるようにしてもよい。この車輪止め５６、及び図８（ｂ）の車輪止め５５により、巻上機２９の行き過ぎが防止され、所望する位置に位置出しを行えるようにされている。
【００５６】
図８（ａ）において、穴５１も穴底５８を有する。穴底５８の形状も穴底５２の形状と同じである。穴５０と穴５１とは底面部４８上において、底面部４８の両縁に平行に配置される。あるいは図７の例のように穴５０と穴５１とは両縁に平行な線からずれて配置される。穴５０、５１の配列方向と同列に、底面部４８の面上には穴５０、５１と同じ形状を有する２つの穴が設けられている。
【００５７】
本変形例に係る巻上機据付装置は、２個の前輪３１及び２個の後輪３２と、案内機能付き支持梁４７とを備える。
【００５８】
このような構成により、穴５０と穴５１とが同じ進行方向の上に配置されている案内機能付き支持梁４７が用いられる場合、プレート４４を案内機能付き支持梁４７の上に載せておき、巻上機２９を動かす際、後輪３２用の穴５０の上に被せられたプレート４４の上を前輪３１が通過する。前輪３１がプレート４４の位置を通過した後、プレート４４が取除かれる。巻上機２９が更に左から右へ移動すると、２つの前輪３１は各穴５１の穴底５８の基部からこれらの穴底５８のスロープ部に沿って下方へと回転して落ち込む。２つの後輪３２も各穴５０の穴底５２の基部からこれらの穴底５２のスロープ部５３に沿って下方へと落ち込む。
【００５９】
図７のように、穴５０及び穴５１間の配置が底面中心線からずれて配置されている案内機能付き支持梁４６が用いられる場合も、巻上機２９が移動すると、２つの前輪３１が各穴底５８のスロープ部に沿って下方へ落ち込み、２つの後輪３２も各穴底５２のスロープ部５３に沿って下方へ落ち込む。
【００６０】
この変形例によれば、巻上機２９を穴５０、５１に嵌め落とす場合、巻上機２９に衝撃が加わらない。また、スロープに沿って滑らかに巻上機２９は各穴５０、５１に嵌るため、巻上機２９が前方に傾き過ぎるといった不都合が解消される。
【００６１】
（第２の実施形態の第４の変形例）
上記第２の実施形態及び第２の実施形態の第１ないし第３の各変形例では、各車輪が凹部である穴に嵌った後、巻上機２９を取り出すことは考慮されていない。本発明の第２実施形態の第４の変形例に係る巻上機据付装置では、凹穴の穴底面にジャッキボルトのボルト穴を形成しておき、このジャッキボルトを回転させて前進させることによって、巻上機２９を各穴から押出し可能に構成されている。
【００６２】
図９は本発明の第２実施形態の第４の変形例に係る巻上機据付装置に用いられる案内機能付き支持梁の側面図である。案内機能付き支持梁５９は、板材からなる底面部６０と、底面部６０の両縁から起立した２つの立壁部６１（図中では一方のみ示されている）とを有する。底面部６０には、位置決め用の貫通穴である穴６２、６３が形成されている。穴６２の周縁部には、板材である底面部６０の裏面からケース状部材６４が溶接などにより取付けられている。穴６３の周縁部には、板材の裏面からケース状部材６５が溶接などにより取付けられている。
【００６３】
ケース状部材６４、６５の各穴底面にはボルト穴６６、６７が形成されており、これらのボルト穴６６、６７にそれぞれボルト部材６８、６９が結合する。ボルト穴６６、６７の各内壁面にはネジ溝が形成されており、ボルト部材６８、６９の各外周面にはこれらのネジ溝と螺合するネジ山が形成されている。ボルト穴６６、ボルト部材６８によりジャッキボルトが構成され、ボルト穴６７、ボルト部材６９によりジャッキボルトが構成される。
【００６４】
また、穴６２と穴６３とは底面部６０上において、底面部中心線に平行に配置される。あるいは穴６２と穴６３とは底面部６０上において中心線からずれて配置される。穴６２、６３の配列方向と同列に、底面部６０の面上には穴６２、６３と同じ形状を有する２つの穴が設けられている。
【００６５】
本変形例に係る巻上機据付装置は、２個の前輪３１及び２個の後輪３２と、案内機能付き支持梁５９とを備える。
【００６６】
このような構成によって、巻上機２９を設置する際、巻上機２９を左から右へ動かし、２つの前輪３１は２つの穴６３に落ち込む。２つの後輪３２は２つの穴６２に落ち込む。一方、巻上機２９をこれらの４つの穴６２、６３から引き上げる場合、２本のボルト部材６８と２本のボルト部材６９とをそれぞれ回転させる。２本のボルト部材６８はそれぞれ２つのボルト穴６６のネジ溝と噛み合って回転し下方から上方へ突き出る。２本のボルト部材６９はそれぞれ２つのボルト穴６７のネジ溝と噛み合って回転し下方から上方へ突き出る。４つの穴６２、６３に嵌った状態の前輪３１、後輪３２はいずれも底面部６０から押し上げられる。
【００６７】
これにより、巻上機２９を各ジャッキボルトによって抜くことができる。巻上機２９を交換するときに、ジャッキボルトを閉めていけば巻上機２９がだんだん上に上がって取り出すことができ、巻上機２９の出し入れを容易に行えるようになる。例えばエレベータをリニューアル工事する際、本実施形態に係る巻上機据付装置を使って巻上機２９を取付ける。設置後、この巻上機２９の取り外しを容易に行える。
【００６８】
（第３の実施形態）
上記の第１の実施形態、第２の実施形態及び各変形例においては、設置時に巻上機２９の昇降路での高さを目標高さと完全に一致させることができるとは限らない。本発明の第３の実施形態に係る巻上機据付装置は、かご上を作業の足場として巻上機２９を据付ける場合、高さ調整を行って巻上機２９の高さ合わせをするものである。
【００６９】
図１０は本実施形態に係る巻上機据付装置の構成図である。同図に示す符号のうち図３に示す符号と同じ符号はそれらと同じ要素を表す。巻上機据付装置７０は、マシンベッド３３下部の２個の前輪３１及び２個の後輪３２と、案内機能付き支持梁２４と、土台７１とを備える。この土台７１は、かご４の上部あるいはかご枠に固定された基台７２と、この基台７２上に直立し自身の高さを調節可能な支柱７３と、この支柱７３の上端に設けられた支持板７４とを備える。支柱７３の有する高さ調整機能はねじ込み式機構により実現される。あるいは高さ調整機能は、油圧ジャッキ式、パンタグラフ式あるいはハンドル式の機構によっても実現される。支柱７３は、これらによって支持板７４の上下方向の高さを無段階状に調節可能である。
【００７０】
このような構成により、かご上に新設の巻上機２９を載せた状態で既設の巻上機２９を使って新設の巻上機２９をかご４ごと上昇させて巻上機２９を動かす作業の高さ位置までかごを寄せる第１の工程と、支持板７４から巻上機２９を動かす第２の工程との二段の工程が実施される。第１の工程では、かご上に土台７１を置き、この土台７１に巻上機２９を載せてかご４を上昇させ、かご４及び昇降路天井７５間に最大限の大きさの隙間を確保した位置でかご４を停止させる。第２の工程において、作業員は支持板７４から昇降路隅部まで巻上機２９をスライドさせる。これによって、巻上機２９を、正確な高さ位置に据付けることができるようになる。
【００７１】
巻上機２９の設置高さを調整する場合、かご位置を正確な高さ位置で停止させることは難しい。昇降路天井７５とかご上との隙間の高さ寸法が小さく、スペースが人も入り込めないほど狭いこともある。この場合でも作業員は高さ位置を検出するセンサ機器を使わずに据付作業を行える。
【００７２】
（他の実施形態）
尚、本発明は上記実施形態そのままに限定されるものではなく、実施段階ではその要旨を逸脱しない範囲で構成要素を変形して具体化できる。
【００７３】
上記実施形態では、案内機能付き支持梁の案内手段としては２枚の立壁部が用いられていたが、この案内手段は種々変更することができる。
【００７４】
第１の実施形態及び第２の実施形態では、車輪や滑車の代わりに、コロ部材のような転動部材を使うことができる。
【００７５】
巻上機据付装置の底面部上に、それぞれ巻上機２９の移動方向に延びる２本のレールを設けておき、マシン支持梁に滑車を取付けておき、滑車をレールに結合させるようにもできる。
【００７６】
巻上機据付装置の底面部上に、それぞれ巻上機２９の移動方向に延びる２本の凹溝を設けておき、マシン支持梁に車輪あるいは滑車を取付けておき、車輪あるいは滑車を凹溝に結合させるようにもできる。
【００７７】
また、上記実施形態に開示されている複数の構成要素の適宜な組み合わせにより、種々の発明を形成できる。例えば、実施形態に示される全構成要素から幾つかの構成要素を削除してもよい。
【符号の説明】
【００７８】
１…昇降路、２、３…かごガイドレール、４…かご、５、６…かご下シーブ、７、８…ソラセシーブ、９…トラクションシーブ、１０、１１…カウンタウェイトガイドレール、１２…つり合いおもり、１３、１４…おもりシーブ、１５…後内壁面、１６…第１の支持梁（梁）、１７…左側内壁面、１８…第２の支持梁（梁）、１９…第３の支持梁（梁）、２０…平板、２１…防振材、２２…右側内壁面、２３…架台、２４…案内機能付き支持梁（マシン支持梁）、２５…底面部、２６、２７…立壁部（案内手段）、２８…固定部材、２９…巻上機、３０…巻上機据付装置、３１…前輪（車輪）、３２…後輪（車輪）、３３…マシンベッド、３４…支持具、３５…モータ、３６…巻上機据付装置、３７…底面部、３８…立壁部、３９…案内機能付き支持梁、４０…底面部、４１、４２…立壁部（案内手段）、４３…穴、４４…プレート、４５…開口、４６…案内機能付き支持梁、４７…案内機能付き支持梁、４８…底面部、４９…立壁部（案内手段）、５０、５１…穴、５２…穴底、５３…スロープ部、５４…平坦部、５５、５６…車輪止め、５７…脚部、５８…穴底、５９…案内機能付き支持梁（マシン支持梁）、６０…底面部、６１…立壁部（案内手段）、６２、６３…穴、６４、６５…ケース状部材、６６、６７…ボルト穴、６８、６９…ボルト部材、７０…巻上機据付装置、７１…土台、７２…基台、７３…支柱、７４…支持板、７５…昇降路天井。
【図１】
2010189081.tif 000003
【図２】
2010189081.tif 000004
【図３】
2010189081.tif 000005
【図４】
2010189081.tif 000006
【図５】
2010189081.tif 000007
【図６】
2010189081.tif 000008
【図７】
2010189081.tif 000009
【図８】
2010189081.tif 000010
【図９】
2010189081.tif 000011
【図１０】
2010189081.tif 000012